(57)【要約】【課題】磁力によって流体を活性化させる磁気活水装置の所定のデバイス側への磁気漏れを防止する磁気漏れ防止体を提供することを課題としている。【解決手段】流体流通用のパイプ８の外周側に取り付けられる磁気によりパイプ８内の流体を活性化する磁気活水装置１と、該磁気活水装置１の近傍に位置する所定のデバイス１２側との間にデバイス１２側の磁力を減少させるように磁性体によって形成されたプレート状をなす磁気漏れ防止体を配置し、磁気漏れ防止体を、磁気活水装置１への取り付け状態で、磁気活水装置１の上下又は左右の少なくとも一方から突出するように形成した。【選択図】図３
2004223508.tif 000002
【特許請求の範囲】
【請求項１】
流体流通用のパイプ（８）の外周側に取り付けられる磁気によりパイプ（８）内の流体を活性化する磁気活水装置（１）と、該磁気活水装置（１）の近傍に位置する所定のデバイス（１２）側との間に配置され、デバイス（１２）側の磁力を減少させるように磁性体によって形成されたプレート状をなす磁気漏れ防止体。
【請求項２】
磁気漏れ防止体が、磁気活水装置（１）の磁力によって磁気活水装置（１）に取り付けられる請求項１の磁気漏れ防止体。
【請求項３】
磁気漏れ防止体が、磁気活水装置（１）への取り付け状態で、磁気活水装置（１）の外周の少なくともいずれかの方向に突出するように形成された請求項１又は２の磁気漏れ防止体。
【請求項４】
磁気漏れ防止体が、複数の分割片（１０）からなる請求項１又は２又は３の磁気漏れ防止体。
【請求項５】
少なくとも２つの各分割片（１０）に切欠き部（１４）を設け、各分割片（１０）の組み合わせによって、パイプ（８）の通過スペース（Ｓ）を形成する請求項４の磁気漏れ防止体。
【発明の詳細な説明】
【技術分野】
【０００１】
本発明は、磁力によって流体を活性化させる磁気活水装置の磁気漏れ防止体に関する。
【背景技術】
【０００２】
従来磁力によって、パイプ内の流体を活性化させる磁気活水装置が公知となっている（例えば特許文献１及び２参照）。この磁気活水装置は、高ガウス数の磁石に、磁束を集中させるコンセントレータを対向させて２つ設け、この２つのコンセントレータ間に発生する磁力線が、流体の流通方向に略垂直に交差するようにパイプに取り付けることにより、磁気によって流体を活性化する構造となっている。
【特許文献１】特許第３２３５９９０号公報
【特許文献２】特許第３４２９２２８号公報
【発明の開示】
【発明が解決しようとする課題】
【０００３】
一方上記磁気活水装置は、高ガウス数の磁石を使用しているため、流体の流通方向、すなわちパイプの中心線方向に磁力線が漏れ、磁気活水装置の外側に磁力線が漏れる。このとき磁気活水ユニットが、比較的狭いスペース内、例えばメータボックス内等に設けられる場合、メータボックス内の水道メータ等、磁力の影響を受け得るデバイスに悪影響を与える場合があるという欠点があった。
【課題を解決するための手段】
【０００４】
上記課題を解決するための本発明の磁気漏れ防止体は、流体流通用のパイプ８の外周側に取り付けられる磁気によりパイプ８内の流体を活性化する磁気活水装置１と、該磁気活水装置１の近傍に位置する所定のデバイス１２側との間に配置され、デバイス１２側の磁力を減少させるように磁性体によって形成されたプレート状をなすことを第１の特徴としている。
【０００５】
第２に、磁気漏れ防止体が、磁気活水装置１の磁力によって磁気活水装置１に取り付けられることを特徴としている。
【０００６】
第３に、磁気漏れ防止体が、磁気活水装置１への取り付け状態で、磁気活水装置１の外周の少なくともいずれかの方向に突出するように形成されたことを特徴としている。
【０００７】
第４に、磁気漏れ防止体が、複数の分割片１０からなることを特徴としている。
【０００８】
第５に、少なくとも２つの各分割片１０に切欠き部１４を設け、各分割片１０の組み合わせによって、パイプ８の通過スペースＳを形成することを特徴としている。
【発明の効果】
【０００９】
以上のように構成される本発明の構造によると、磁気活水ユニットを磁力の影響が比較的大きいデバイス、例えば水道メータ等の近傍に配置した場合に、水道メータと磁気活水ユニットとの間に設けられる磁気漏れ防止体によって、磁気漏れ防止体から水道メータ側に漏れ出る磁力線はごくわずかとなり、水道メータ等に磁力による悪影響を与えるという不都合が防止される。
【００１０】
このとき磁気漏れ防止体が、磁性体からなるプレートにより形成されているため、磁気活水ユニットに磁力によって取り付けられ、磁気漏れ防止体の磁気活水ユニットへの取り付けを簡単に行うことができ、且つ取付機構が不要となるため、磁気漏れ防止体をより小さなスペースで取り付けることができるという効果がある。
【００１１】
そして磁気漏れ防止体を、磁気活水装置への取り付け状態で、磁気活水装置の上下又は左右の少なくとも一方から突出するように形成することによって、磁気漏れ防止体を磁気活水装置から簡単に取り外すことができる。
【００１２】
一方磁気漏れ防止体を複数の分割片から構成することによって、磁気漏れ防止体を必要に応じて、必要な場所に簡単に取り付けることができ、取り外しも容易に行うことができ、特に少なくとも２つの分割片に切欠き部を設け、該切欠き部によってパイプの通過用のスペースを形成させることにより、磁気漏れ防止体によってパイプを避けて磁気活水ユニット全体を覆うことができ、防磁効果を向上させることができる。
【発明を実施するための最良の形態】
【００１３】
図１は磁気活水ユニット１の正面図、図２，図３は本発明の磁気漏れ防止体２を取り付けた状態の磁気活水ユニット１の正面図及び平面図である。該磁気活水ユニット１は、従来公知の１００００〜１２０００ガウスの磁石３と、該磁石３に取り付けられる対向する２つのコンセントレータ４とによって構成される磁気活性体６を２つ本体ケース７に収容し、両磁気活性体６によって流体流通用のパイプ８を挟持する構成となっている。
【００１４】
そして両磁気活性体６により上記パイプ８を挟持させて、磁気活水ユニット１をパイプ８の外周側に取り付けることによって、磁気活性体６のコンセントレータ４間に発生する磁力線９が、パイプ８内を流通する水や油等の流動体に対して概ね垂直に交差する方向で作用し、パイプ８内の水や油等の流動体を磁気により活性化することができる。
【００１５】
上記磁気活水ユニット１は、例えば一般家庭の上水道の配管に取り付けることができる。ただし上記磁気活水ユニット１を後付けする場合、取り付け場所は、磁気活水ユニット１を収容するスペースが確保できる場所に限られる。このため磁気活水ユニット１は、例えば図４，図５に示されるように、メータボックス１１内等への取付けが可能となる。
【００１６】
一方上記磁気活水ユニット１は、上記のように高ガウスの磁石３からなる磁気活性体６を使用し、コンセントレータ４間に発生する磁力線９によって、該磁力線９と概ね垂直に交差して流通する流体の活性化を行うように構成されている。
【００１７】
ただし上記のように磁石３のガウス数が大きいため、上記コンセントレータ４間に発生する磁力線９に交差する方向、すなわち流体の流通方向（パイプ８の中心線Ｃ方向）に、磁気活水ユニット１からの漏れ磁力線が発生する。このため本磁気活水ユニット１を上記のようにメータボックス１１内等に取り付ける場合、メータボックス１１内のメータ１２と磁気活水ユニット１との間に、上記漏れ磁力線を遮蔽する磁気漏れ防止体２が取り付けられている。
【００１８】
上記磁気漏れ防止体２は、２つの分割片１０からなり、各分割片１０は厚さ７ｍｍの磁性体である鉄材からなるプレートから構成されている。そして各分割片１０は、磁気活性体１の各本体ケース７のパイプ８の中心線方向の端面７ａの外側に、本体ケース７の全体を覆うように取り付けられている。そして各分割片１０は上記本体ケース７の端面７ａへの取付面２ａが、該端面７ａより大きな面積となっており、取り付け状態において、本体ケース７の左又は右及び上下より突出する。
【００１９】
そして各磁気漏れ防止体２には、切欠き部１４が設けられており、２つの磁気漏れ防止体２が各本体ケース７に取り付けられると、両切欠き部１４によってパイプ８の通過スペースＳが形成される。これにより本体ケース７の端面側から見た場合に、パイプ８を避けて磁気活水ユニット１の概ね全体を磁気漏れ防止体２によって覆うことができ、磁気漏れ防止体２の外側に漏れる磁力をより小さなものとすることができる。
【００２０】
磁気漏れ防止体２は、上記のように磁性体からなるため、磁気活性体６の磁力によって磁気活水ユニット１に固定される。このとき上記のように磁気活性体６は磁石３のガウス数が大きく、磁力が強大であるため、磁気漏れ防止体２が磁気活水ユニット１から容易に外れることはない。ただし磁気漏れ防止体２は本体ケース７から突出しているため、本体ケース７から剥がすように取り外すと、簡単に取り外すことができ、人間による着脱作業は簡単である。
【００２１】
そして厚さ７ｍｍの上記磁気漏れ防止体２によって、磁気漏れ防止体２の内面（磁気活水ユニット１の本体ケース７の外端面７ａ）の２０００〜４０００ガウスの磁気が、磁気漏れ防止体２の外面で、１〜５ガウス程度に減少する。
【００２２】
これにより本磁気活水ユニット１を上記のようにメータボックス１１内に取り付けた場合でも、磁気漏れ防止体２からメータ１２側に漏れ出る磁力線はごくわずかとなり、メータボックス１１内のメータ等磁力の影響を受け得るデバイスに悪影響を与えるという不都合が防止される。
【００２３】
このとき磁気漏れ防止体２は、本体ケース７に磁力によって取り付けられるため、磁気活水ユニット１への取付機構が不要となり、より小さなスペースでの取り付けが可能となっている。このため磁気漏れ防止体２を上記のようなメータボックス１１内に簡単に取り付けることができ、磁気によるメータ１２への悪影響を小さくすることができる。なお両分割片１０の切欠き部１４によってパイプ８に設けられるナット２０を避けて磁気漏れ防止体２を取り付けることもできる。
【図面の簡単な説明】
【００２４】
【図１】磁気活水ユニットの正面図である。
【図２】磁気漏れ防止体を取り付けた状態の磁気活水ユニットの平面図である。
【図３】磁気漏れ防止体を取り付けた状態の磁気活水ユニットの正面図である。
【図４】磁気漏れ防止体のメータボックス内への取り付け状態を示す平面図である。
【図５】磁気漏れ防止体のメータボックス内への取り付け状態を示す側面断面図である。
【符号の説明】
【００２５】
１    磁気活水装置
８    パイプ
１０  分割片
１２  デバイス
１４  切欠き部
【図１】
2004223508.tif 000003
【図２】
2004223508.tif 000004
【図３】
2004223508.tif 000005
【図４】
2004223508.tif 000006
【図５】
2004223508.tif 000007